【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
携帯型通信装置であって、
スクリーン領域及びベゼル領域を含む前面プレートと、後面プレートと、側面部材と、を含むハウジングと、
前記前面プレートの前記スクリーン領域を介して露出されるディスプレイと、
前記前面プレートに面し、前記前面プレートに実質的に垂直な方向から見たときに前記ベゼル領域と少なくとも部分的に重畳する第１アンテナアレイと、
前記第１アンテナアレイによって形成され前記ベゼル領域を通して実質的に放射される第１ビームと、
前記後面プレートに面し、前記後面プレートに実質的に垂直な方向から見たときに前記スクリーン領域と少なくとも部分的に重畳する第２アンテナアレイと、
前記第２アンテナアレイによって形成され前記後面プレートに実質的に垂直な方向から見たときに前記スクリーン領域と少なくとも部分的に重畳する前記後面プレートの一部を通して実質的に放射される第２ビームと、
前記側面部材に隣接して配置される第３アンテナアレイと、
前記第３アンテナアレイによって形成され前記側面部材を通して実質的に放射される第３ビームと、
前記第１アンテナアレイ、前記第２アンテナアレイ、及び前記第３アンテナアレイを制御して、実質的に前記ベゼル領域を通って第１方向に放射される前記第１ビームを提供するように構成される無線通信回路と、を有し、
前記第２ビームは、実質的に前記後面プレートを介して第２方向に放射され、
前記第３ビームは、実質的に前記側面部材を介して第３方向に放射されることを特徴とする携帯型通信装置。
【請求項２】
前記ディスプレイを支持し、前記ベゼル領域と前記第１アンテナアレイの間に少なくとも一つの貫通ホールを形成する導電性支持部材をさらに有し、
前記貫通ホールは、前記導電性支持部材を前記第１方向に貫通して形成されることを特徴とする請求項１に記載の携帯型通信装置。
【請求項３】
前記無線通信回路は、前記貫通ホールを通過する第１導電経路を介して前記第１アンテナアレイに電気的に接続され、前記第１導電経路は、前記第１アンテナアレイを使用して送信又は受信される信号を搬送するように構成され、
前記第１アンテナアレイは、前記貫通ホールによって離隔された複数のアンテナ要素を含むことを特徴とする請求項２に記載の携帯型通信装置。
【請求項４】
前記無線通信回路は、前記第１アンテナアレイを利用して、前記少なくとも一つの貫通ホールの大きさに対応する周波数帯域の信号を送受信するように設定されることを特徴とする請求項２に記載の携帯型通信装置。
【請求項５】
前記無線通信回路は、前記第１アンテナアレイ及び前記第２アンテナアレイを利用して、２０ＧＨｚ以上の周波数帯域の信号を送受信するように設定されることを特徴とする請求項１に記載の携帯型通信装置。
【請求項６】
前記ベゼル領域と前記第１アンテナアレイとの間に配置され、非導電性物質で形成される誘電体層をさらに有し、
前記誘電体層は、前記ディスプレイと前記後面プレートとの間に配置された第１回路基板を支持することを特徴とする請求項１に記載の携帯型通信装置。
【請求項７】
前記無線通信回路は、前記第１アンテナアレイを利用して送信又は受信する信号が前記誘電体層を通過できるよう構成されることを特徴とする請求項６に記載の携帯型通信装置。
【請求項８】
前記ディスプレイと前記後面プレートの間に配置される第１回路基板さらに有することを特徴とする請求項１に記載の携帯型通信装置。
【請求項９】
前記第１アンテナアレイと前記第３アンテナアレイとの間に配置される導電性プレートをさらに有することを特徴とする請求項１に記載の携帯型通信装置。
【請求項１０】
前記第１回路基板、前記前面プレート、及び前記後面プレートを固定するための導電性接続部材をさらに有し、
前記第３アンテナアレイは、前記側面部材に密着して配置されることを特徴とする請求項８に記載の携帯型通信装置。
【請求項１１】
前記第１アンテナアレイ及び前記第２アンテナアレイのそれぞれは、複数のパッチアンテナを含み、
前記第３アンテナアレイは、複数のダイポールアンテナを含むことを特徴とする請求項１に記載の携帯型通信装置。
【請求項１２】
前記無線通信回路は、前記第３アンテナアレイを使用して、前記第１方向と前記第２方向に直交する第３方向に指向性を有する前記第３ビームを形成するように構成されることを特徴とする請求項１に記載の携帯型通信装置。
【請求項１３】
前記第１回路基板と組み合わされる少なくとも１つの第２回路基板をさらに有し、
前記第３アンテナアレイは、前記少なくとも１つの第２回路基板上に配置され、
前記少なくとも１つの第２回路基板は、前記ディスプレイと前記後面プレートとの間に配置され、
前記少なくとも１つの第２回路基板は、前記側面部材に隣接して配置されることを特徴とする請求項８に記載の携帯型通信装置。
【請求項１４】
前記第１回路基板は、前記第３アンテナアレイに隣接して配置され、
前記第１回路基板は、前記第３アンテナアレイが配置される第１層と、前記第３アンテナアレイに電気的に接続される無線周波数集積回路（ＲＦＩＣ）が搭載される第２層を含むことを特徴とする請求項８に記載の携帯型通信装置。
【請求項１５】
前記第１アンテナアレイは、前記第１回路基板の第１領域に配置される第１導電性部材と、
前記第１回路基板の第２領域に配置される第２導電性部材と、
前記第１導電性部材の上に配置され、前記ベゼル領域を通って延長される第１非導電性部材と、
前記第１導電性部材から実質的に前記第１非導電性部材及び前記ベゼル領域を通って携帯型通信装置の外側に放射される第１信号と、
前記第２導電性部材の上に配置され、前記ベゼル領域を通って延長される第２非導電性部材と、
前記第２導電性部材から実質的に前記第２非導電性部材及び前記ベゼル領域を通って携帯型通信装置の外側に放射される第２信号と、を含むことを特徴とする請求項８に記載の携帯型通信装置。
【手続補正２】
【補正対象書類名】明細書
【補正対象項目名】発明の名称
【補正方法】変更
【補正の内容】
【発明の名称】携帯型通信装置
【手続補正３】
【補正対象書類名】明細書
【補正対象項目名】０００１
【補正方法】変更
【補正の内容】
【０００１】
本発明は、アンテナ技術に関し、特に、超高帯域の周波数を送受信するアンテナを含む携帯型通信装置に関する。
【手続補正４】
【補正対象書類名】明細書
【補正対象項目名】０００５
【補正方法】変更
【補正の内容】
【０００５】
本発明は、上記５世代移動通信（５Ｇ）技術の開発に鑑みてなされたものであって、本発明の目的は、超高帯域の周波数を送受信するアンテナを含む携帯型通信装置を提供することにある。
【手続補正５】
【補正対象書類名】明細書
【補正対象項目名】０００６
【補正方法】変更
【補正の内容】
【０００６】
上記目的を達成するためになされた本発明による携帯型通信装置は、携帯型通信装置であって、スクリーン領域及びベゼル領域を含む前面プレートと、後面プレートと、側面部材と、を含むハウジングと、前記前面プレートの前記スクリーン領域を介して露出されるディスプレイと、前記前面プレートに面し、前記前面プレートに実質的に垂直な方向から見たときに前記ベゼル領域と少なくとも部分的に重畳する第１アンテナアレイと、前記第１アンテナアレイによって形成され前記ベゼル領域を通して実質的に放射される第１ビームと、前記後面プレートに面し、前記後面プレートに実質的に垂直な方向から見たときに前記スクリーン領域と少なくとも部分的に重畳する第２アンテナアレイと、前記第２アンテナアレイによって形成され前記後面プレートに実質的に垂直な方向から見たときに前記スクリーン領域と少なくとも部分的に重畳する前記後面プレートの一部を通して実質的に放射される第２ビームと、前記側面部材に隣接して配置される第３アンテナアレイと、前記第３アンテナアレイによって形成され前記側面部材を通して実質的に放射される第３ビームと、前記第１アンテナアレイ、前記第２アンテナアレイ、及び前記第３アンテナアレイを制御して、実質的に前記ベゼル領域を通って第１方向に放射される前記第１ビームを提供するように構成される無線通信回路と、を有し、前記第２ビームは、実質的に前記後面プレートを介して第２方向に放射され、前記第３ビームは、実質的に前記側面部材を介して第３方向に放射されることを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明に係る携帯型通信装置によれば、携帯型通信装置の前面プレート、後面プレート、及び側面部材のうち少なくとも一つの方向に指向性を有する複数個のアンテナを実装されることにより、ビームパターンの指向性が向上すると共に経路損失を少なくすることができる、という効果がある。
【手続補正８】
【補正対象書類名】明細書
【補正対象項目名】００１０
【補正方法】変更
【補正の内容】
【００１０】
次に、本発明に係る携帯型通信装置を実施するための形態の具体例を図面を参照しながら説明する。
しかし、これは、本発明を特定の実施形態に対して限定しようとするものではなく、本発明の実施形態の多様な変更、均等物、及び／又は代替物を含むものとして理解されなければならない。
図面の説明と関連し、類似の構成要素に対しては類似の参照符号が用いる。